(57)【要約】  コネクション型プロトコルの通信を行う際に生じるボトルネックの影響を軽減し、ＴＡＴを短縮するため、本発明のネットワークシステムは、通信端末に対してコンテンツを提供するサーバと、サーバとの接続を確立する中継装置と、サーバのＩＰアドレスを保持するＤＮＳサーバとを含み、中継装置は、通信端末からコンテンツの提供元となるサーバのＩＰアドレスの問い合わせを受け付けると、ＤＮＳサーバに対してＩＰアドレスを問い合わせ、問い合わせに対して受信したＩＰアドレスを通信端末に送信する処理と、ＩＰアドレスの割り当てられたサーバとの接続を確立する処理とを、並行することを特徴とする。
2018180767.tif 000002
【特許請求の範囲】
【請求項１】
通信端末に対してコンテンツを提供するサーバと、
前記サーバとの接続を確立する中継装置と、
前記サーバのＩＰアドレスを保持するＤＮＳサーバとを含み、
前記中継装置は、前記通信端末からコンテンツの提供元となるサーバのＩＰアドレスの問い合わせを受け付けると、前記ＤＮＳサーバに対して該ＩＰアドレスを問い合わせ、
前記問い合わせに対して受信したＩＰアドレスを前記通信端末に送信する処理と、該ＩＰアドレスの割り当てられたサーバとの接続を確立する処理とを、並行する
ことを特徴とするネットワークシステム。
【請求項２】
前記中継装置は、前記ＤＮＳサーバから受信したＩＰアドレスを保持するキャッシュメモリを含み、
前記キャッシュメモリが前記通信端末からの問い合わせに対応するＩＰアドレスを保持している場合には、該ＩＰアドレスを前記通信端末に送信し、
前記キャッシュメモリが前記通信端末からの問い合わせに対応するＩＰアドレスを保持していない場合には、該ＩＰアドレスを前記ＤＮＳサーバに問い合わせる
ことを特徴とする請求項１に記載のネットワークシステム。
【請求項３】
前記中継装置は、前記サーバのＩＰアドレスを保持するＤＮＳ機能部を含み、
前記ＩＰアドレスの問い合わせを受け付けると、前記ＤＮＳ機能部に照会して、前記コンテンツの提供元となるサーバのＩＰアドレスを前記通信端末に送信することを特徴とする請求項１に記載のネットワークシステム。
【請求項４】
前記中継装置は、前記サーバとの間にＴＣＰコネクションを確立するために、３Ｗａｙ  Ｈａｎｄｓｈａｋｅを行うことを特徴とする請求項１乃至３のいずれか１項に記載のネットワークシステム。
【請求項５】
通信端末からコンテンツの提供元となるサーバのＩＰアドレスの問い合わせを受け付けると、ＤＮＳサーバに対して前記コンテンツの提供元となるサーバのＩＰアドレスを問い合わせ、
前記問い合わせに対して受信したＩＰアドレスを前記通信端末に送信する処理と、該ＩＰアドレスに基づいて前記コンテンツの提供元となるサーバとの接続を確立する処理とを、並行する
ことを特徴とする中継装置。
【請求項６】
前記ＤＮＳサーバから受信したＩＰアドレスを保持するキャッシュメモリを含み、
前記キャッシュメモリが前記通信端末からの問い合わせに対応するＩＰアドレスを保持している場合には、該ＩＰアドレスを前記通信端末に送信し、
前記キャッシュメモリが前記通信端末からの問い合わせに対応するＩＰアドレスを保持していない場合には、該ＩＰアドレスを前記ＤＮＳサーバに問い合わせる
ことを特徴とする請求項５に記載の中継装置。
【請求項７】
前記サーバのＩＰアドレスを保持するＤＮＳ機能部を含み、
前記通信端末からの問い合わせを受け付けると、前記ＩＰアドレスを前記通信端末に送信することを特徴とする請求項５に記載の中継装置。
【請求項８】
通信端末に対してコンテンツを提供するサーバと、
前記サーバとの接続を確立する中継装置と、
前記サーバのＩＰアドレスを保持するＤＮＳサーバとを含み、
前記ＤＮＳサーバは、前記通信端末からコンテンツの提供元となるサーバのＩＰアドレスの問い合わせを受け付けると、前記中継装置に該ＩＰアドレスを送信し、
前記中継装置は、該アドレスを前記通信装置に送信する処理と、該ＩＰアドレスの割り当てられたサーバとの接続を確立する処理とを並行する
ことを特徴とするネットワークシステム。
【請求項９】
前記ＤＮＳサーバは、前記問い合わせを受け付けると、前記問い合わせに対応するＩＰアドレスを前記中継装置と前記通信端末のそれぞれに送信することを特徴とする請求項８に記載のネットワークシステム。
【請求項１０】
通信端末に対してコンテンツを提供するサーバと、
前記サーバとの接続を確立する中継装置と、
前記サーバのＩＰアドレスを保持するＤＮＳサーバとを含むネットワークシステムにおいて、
前記中継装置は、
前記通信端末からコンテンツの提供元となるサーバのＩＰアドレスの問い合わせを受け付けると、前記ＤＮＳサーバに対して該ＩＰアドレスを問い合わせ、
前記問い合わせに対して受信したＩＰアドレスを前記通信端末に送信する処理と、該ＩＰアドレスに基づいて前記コンテンツの提供元となるサーバとの接続を確立する処理とを、並行する
ネットワーク制御方法。
【発明の詳細な説明】
【技術分野】
【０００１】
本発明は、中継装置、ネットワークシステムおよびネットワーク制御方法に関する。
【背景技術】
【０００２】
インターネットなどの通信網において、ネットワークアプリケーションを処理するためのプロトコルとして、ＴＣＰプロトコル（Ｔｒａｎｓｍｉｓｓｉｏｎ  Ｃｏｎｔｒｏｌ  Ｐｒｏｔｏｃｏｌ）が知られている。ＴＣＰプロトコルは、コネクションと呼ばれる仮想的な専用通信回線を用いて通信を行う通信プロトコルである。この種の通信プロトコルは、コネクション型のプロトコルと呼ばれる。【０００３】
コネクション型の通信プロトコルにおいては、データの送受信を行う前に、クライアント側の装置がサーバの状況（応答可能な状態か、ポートに接続可能か等）を確認し、クライアントとサーバとの間でコネクションを確立してから、該コネクションを通じてデータの送受信を行う。このように、コネクションを確立した後に通信を開始することから、サーバの状況を確認せずにデータ送受信を行うコネクションレス型の通信よりも、信頼性が高いという特徴がある。【０００４】
コネクション型のプロトコルによるコネクションを確立する手順として、３Ｗａｙ  Ｈａｎｄｓｈａｋｅがある。３Ｗａｙ  Ｈａｎｄｓｈａｋｅにおいては、送信元から宛先へのコネクションの確立を要求する旨を示すＳＹＮパケットと、該コネクションの確立を許可する旨を示すＡＣＫパケットの送受信を行うことで、コネクションの確立を行う。図１１は、クライアントとサーバ間で３Ｗａｙ  Ｈａｎｄｓｈａｋｅを行う際の手順を示すシーケンス図である。【０００５】
クライアントは、サーバに対して、ＳＹＮパケット（Ｓｙｎｃｈｒｏｎｉｚｅ  ｐａｃｋｅｔ）を送信する（Ｓ１）。【０００６】
サーバは、ＳＹＮパケットを受信すると、クライアントに対して、ＡＣＫ（ＡＣＫｎｏｗｌｅｄｇｅｍｅｎｔ）パケットを送信する（Ｓ２）。また、サーバは、クライアントに対して、ＳＹＮパケットを送信する。【０００７】
ＡＣＫパケットは、コネクションの確立を許可する旨を示すパケットである。【０００８】
クライアントは、ＡＣＫパケットおよびＳＹＮパケットを受信すると、サーバに対して、ＡＣＫパケットを送信する（Ｓ３）。【０００９】
ＴＣＰプロトコルを用いて通信を行う場合、通信を開始する前に各装置間で３Ｗａｙ  Ｈａｎｄｓｈａｋｅを行い、コネクションが確立される。そのため、モバイルＩＰ（Ｉｎｔｅｒｎｅｔ  Ｐｒｏｔｏｃｏｌ）網と外部ネットワークの通信において、各ネットワークの特性を埋めるために中継装置を介する構成とした場合には、クライアントと中継装置との間と、中継装置とサーバとの間とで、それぞれ３Ｗａｙ  Ｈａｎｄｓｈａｋｅが行われる。【００１０】
図１２は、移動機端末１０ａが接続を要求する通信先との間で通信を開始する動作例を示すシーケンス図である。以降は、図１２において、移動機端末１０ａがサーバ４０ａに接続する動作を例に説明する。【００１１】
移動機端末１０ａは、ＤＮＳ（Ｄｏｍａｉｎ  Ｎａｍｅ  Ｓｙｓｔｅｍ）サーバ３０ａに対して、接続先のドメイン名に対応するＩＰアドレスを問い合わせる（Ｓ００１）。【００１２】
移動機端末１０ａから問い合わせを受信すると、ＤＮＳサーバ３０ａは、受信したドメイン名に対応するＩＰアドレスを特定する。ＤＮＳサーバ３０ａは、特定したＩＰアドレスを、移動機端末１０ａに送信する（Ｓ００２）。【００１３】
移動機端末１０ａは、中継装置２０ａに対して、接続先となるサーバ４０ａへのコネクションを確立するためのＳＹＮパケットを送信する（Ｓ００３）。【００１４】
移動機端末１０ａからＳＹＮパケットを受信すると、中継装置２０ａは、移動機端末１０ａに対して、ＡＣＫパケットを送信する。また、中継装置２０ａは、移動機端末１０ａに対して、中継装置２０ａから移動機端末１０ａへのコネクションの確立を要求するためのＳＹＮパケットを送信する（Ｓ００４）。【００１５】
中継装置２０ａからＳＹＮパケットを受信すると、移動機端末１０ａは、中継装置２０ａに対して、ＡＣＫパケットを送信する（Ｓ００５）。【００１６】
中継装置２０ａは、サーバ４０ａに対して、ＳＹＮパケットを送信する（Ｓ００６）。【００１７】
中継装置２０ａからＳＹＮパケットを受信すると、サーバ４０ａは、中継装置２０ａに対して、ＡＣＫパケットを送信する。また、サーバ４０ａは、中継装置２０ａに対して、サーバ４０ａから中継装置２０ａへのコネクションの確立を要求するために、ＳＹＮパケットを送信する（Ｓ００７）。【００１８】
サーバ４０ａからＳＹＮパケットを受信すると、中継装置２０ａは、サーバ４０ａに対して、ＡＣＫパケットを送信する（Ｓ００８）。【００１９】
移動機端末１０ａと中継装置２０ａ間のコネクション、および中継装置２０ａとサーバ４０ａ間のコネクションが確立すると、移動機端末１０ａは、中継装置２０ａを介して、サーバ４０ａにＨＴＴＰリクエスト（ＨｙｐｅｒＴｅｘｔ  Ｔｒａｎｓｆｅｒ  Ｐｒｏｔｏｃｏｌ  ｒｅｑｕｅｓｔ）を送信する（Ｓ００９）。【００２０】
ＨＴＴＰリクエストを受信したサーバ４０ａは、中継装置３０ａを介して、移動機端末１０ａにＨＴＴＰレスポンスを送信する（Ｓ０１０）。ＨＴＴＰレスポンスとは、例えば、サーバに収容されているコンテンツを提供するためのパケットである。【００２１】
上記のような手順により、移動機端末１０ａとサーバ４０ａとの間でデータの送受信が行われる。【００２２】
特許文献１には、ＤＮＳサーバの代理でＩＰアドレスを応答するルータが記載されている。特許文献１によると、ルータは、キャッシュにＩＰアドレスの情報を格納することで、ＷＡＮ（Ｗｉｄｅ  Ａｒｅａ  Ｎｅｔｗｏｒｋ）側に接続してＩＰアドレスを解決する機会を減少させる。【００２３】
特許文献２には、ＮＡＴ（Ｎｅｔｗｏｒｋ  Ａｄｄｒｅｓｓ  Ｔｒａｎｓｌａｔｉｏｎ）機能を有する中継装置を介して端末間通信を行う場合の通信方法について記載されている。特許文献２によると、各端末は他の端末からのＲＴＰ（Ｒｅａｌ―ｔｉｍｅ  Ｔｒａｎｓｐｏｒｔ  Ｐｒｏｔｏｃｏｌ）パケットを送受信したレポートを一定時間記憶しておく。そして、各端末は、中継装置が誤ったパケット処理をすることを防ぐため、記憶したポートの情報を基に、相手装置にパケットが受信されるまで送信を繰り返す。
【先行技術文献】
【特許文献】
【００２４】
【特許文献１】特開２０１４−４９８０７号公報
【特許文献２】特開２００８−２３６２９７号公報
【特許文献３】特開２０１４−８２６２４号公報
【特許文献４】特開２０１４−４５２４５号公報
【特許文献５】特開２０１１−１７６４６８号公報
【発明の概要】
【発明が解決しようとする課題】
【００２５】
コネクション型の通信プロトコルを使用するために行う３Ｗａｙ  Ｈａｎｄｓｈａｋｅ（コネクションの確立）は時間を要するため、移動機端末とサーバとの間で通信を行う際に、ボトルネックとなる恐れがある。しかしながら、上述したとおり、移動機端末とサーバとの間でコネクション型の通信プロトコルを使用して通信を行うためには、図１２のように、３Ｗａｙ  Ｈａｎｄｓｈａｋｅが２回必要になる。【００２６】
特許文献１に記載の発明は、３Ｗａｙ  Ｈａｎｄｓｈａｋｅを行って接続先との通信を開始するものではない。特許文献２に記載の発明においても、３Ｗａｙ  Ｈａｎｄｓｈａｋｅを行って接続先との通信を開始するものではない。【００２７】
したがって、本願発明の目的は、コネクション型プロトコルの通信を行う際に生じるボトルネックの影響を軽減し、ＴＡＴ（Ｔｕｒｎ  Ａｒｏｕｎｄ  Ｔｉｍｅ）を短縮するためのコネクション確立を可能にする。
【課題を解決するための手段】
【００２８】
本発明の一態様におけるネットワークシステムは、通信端末に対してコンテンツを提供するサーバと、前記サーバとの接続を確立する中継装置と、前記サーバのＩＰアドレスを保持するＤＮＳサーバとを含み、前記中継装置は、前記通信端末からコンテンツの提供元となるサーバのＩＰアドレスの問い合わせを受け付けると、前記ＤＮＳサーバに対して該ＩＰアドレスを問い合わせ、前記問い合わせに対して受信したＩＰアドレスを前記通信端末に送信する処理と、該ＩＰアドレスの割り当てられたサーバとの接続を確立する処理とを、並行することを特徴とする。【００２９】
本発明の一態様における中継装置は、通信端末からコンテンツの提供元となるサーバのＩＰアドレスの問い合わせを受け付けると、ＤＮＳサーバに対して前記コンテンツの提供元となるサーバのＩＰアドレスを問い合わせ、前記問い合わせに対して受信したＩＰアドレスを前記通信端末に送信する処理と、該ＩＰアドレスに基づいて前記コンテンツの提供元となるサーバとの接続を確立する処理とを、並行することを特徴とする。【００３０】
本発明の一態様におけるナットワークシステムは、通信端末に対してコンテンツを提供するサーバと、前記サーバとの接続を確立する中継装置と、前記サーバのＩＰアドレスを保持するＤＮＳサーバとを含み、前記ＤＮＳサーバは、前記通信端末からコンテンツの提供元となるサーバのＩＰアドレスの問い合わせを受け付けると、前記中継装置に該ＩＰアドレスを送信し、前記中継装置は、該アドレスを前記通信装置に送信する処理と、該ＩＰアドレスの割り当てられたサーバとの接続を確立する処理とを並行することを特徴とする。【００３１】
本発明の一態様におけるネットワーク制御方法は、通信端末に対してコンテンツを提供するサーバと、前記サーバとの接続を確立する中継装置と、前記サーバのＩＰアドレスを保持するＤＮＳサーバとを含むネットワークシステムにおいて、前記中継装置は、前記通信端末からコンテンツの提供元となるサーバのＩＰアドレスの問い合わせを受け付けると、前記ＤＮＳサーバに対して該ＩＰアドレスを問い合わせるステップと、前記問い合わせに対して受信したＩＰアドレスを前記通信端末に送信する処理と、該ＩＰアドレスに基づいて前記コンテンツの提供元となるサーバとの接続を確立する処理とを、並行するステップとを実行する。
【発明の効果】
【００３２】
本願発明によれば、コネクション型プロトコルの通信を行う際に生じるボトルネックの影響を軽減し、ＴＡＴを短縮するためのコネクション確立を可能にするとの効果を得ることができる。
【図面の簡単な説明】
【００３３】
【図１】第１の実施形態のネットワークの構成例を示すブロック図である。
【図２】第１の実施形態の移動機端末の構成例を示すブロック図である。
【図３】第１の実施形態の中継装置の構成例を示すブロック図である。
【図４】第１の実施形態のキャッシュメモリが保持する情報の例である。
【図５】第１の実施形態のＤＮＳサーバが保持する情報の例である。
【図６】第１の実施形態のシステムの動作例を示すシーケンス図である。
【図７】第２の実施形態の中継装置の構成例を示すブロック図である。
【図８】第２の実施形態のシステムの動作例を示すシーケンス図である。
【図９】第３の実施形態のネットワークの構成例を示すブロック図である。
【図１０】第３の実施形態のシステムの動作例を示すシーケンス図である。
【図１１】３Ｗａｙ  Ｈａｎｄｓｈａｋｅの動作を示すシーケンス図である。
【図１２】移動機端末が接続を要求する通信先との間で通信を開始する動作例を示すシーケンス図である。
【発明を実施するための形態】
【００３４】
［第１の実施の形態］
［構成の説明］
本発明の第１の実施形態を、図面を参照して詳細に説明する。
【００３５】
図１は、第１の実施形態におけるネットワークの構成例を示すブロック図である。
【００３６】
第１の実施形態におけるネットワークは、移動機端末１０と、中継装置２０と、ＤＮＳサーバ３０と、オリジンサーバ４０と、モバイルＩＰ網５０と、外部ネットワーク６０とを含む。
【００３７】
移動機端末１０は、モバイルＩＰ網５０、中継装置２０および外部ネットワーク６０を介して、オリジンサーバ４０とデータ（パケット）の送受信を行う。移動機端末１０は、例えば、ラップトップ型コンピュータ、タブレット型コンピュータ、スマートフォン等の携帯端末、その他の通信端末である。
【００３８】
図２は、第１の実施形態における移動機端末１０の構成例を示すブロック図である。移動機端末１０は、端末通信部１１と、端末処理部１２とを含む。
【００３９】
端末通信部１１は、端末処理部１２からの指示に応じて、モバイルＩＰ網５０を介して、中継装置２０とのパケットの送受信を行うための通信インターフェースである。
【００４０】
端末処理部１２は、移動機端末１０が接続を要求する通信先のドメイン名を特定する。端末処理部１２は、特定したドメイン名に対応するＩＰアドレスを取得するために、問い合わせとして、端末通信部１１にドメイン名をＤＮＳサーバ３０へ送信することを指示する。
【００４１】
端末処理部１２は、問い合わせに対応するＩＰアドレスを取得すると、当該ＩＰアドレスを割り当てられた宛先とのコネクションを確立するために、中継装置２０との間で３Ｗａｙ  Ｈａｎｄｓｈａｋｅを行う。端末処理部１２は、３Ｗａｙ  Ｈａｎｄｓｈａｋｅが完了する（コネクションが確立する）と、ＨＴＴＰリクエストを送信する。ＨＴＴＰリクエストとは、例えば、コンテンツなどのデータの要求、送信するデータの受け入れ要求、応答要求などである。
【００４２】
中継装置２０は、移動機端末１０と、移動機端末１０が接続を要求する通信先との間にコネクションを確立する。
【００４３】
図３は、第１の実施形態における中継装置２０の構成例を示すブロック図である。中継装置２０は、通信部２１と、名前解決部２２と、プロキシ機能部２３と、キャッシュメモリ２４とを含む。
【００４４】
通信部２１は、モバイルＩＰ網５０および外部ネットワーク６０を介して、他の装置とのパケットの送受信を行うための通信インターフェースである。
【００４５】
名前解決部２２は、ドメイン名とＩＰアドレスとを関連付けて保持しているキャッシュメモリ２４を参照し、移動機端末１０からの問い合わせに対応するＩＰアドレスの情報を照会する。
【００４６】
キャッシュメモリ２４が移動機端末１０からの問い合わせに対応するＩＰアドレスを保持していた場合には、名前解決部２２は、移動機端末１０に対して該ＩＰアドレスを送信する。キャッシュメモリ２４が移動機端末１０からの問い合わせに対応するＩＰアドレスを保持していなかった場合、名前解決部２２は、ＤＮＳサーバ３０に対して、問い合わせとして、移動機端末１０が接続を要求する通信先のドメイン名を送信する。
【００４７】
名前解決部２２は、移動機端末１０が接続を要求する通信先のドメイン名と、ＤＮＳサーバ３０から受信したＩＰアドレスとを、キャッシュメモリ２４に送信する。
【００４８】
プロキシ機能部２３は、移動機端末１０が接続を要求する通信先のＩＰアドレスを取得すると、当該ＩＰアドレスを割り当てられた宛先とのコネクションを確立するために、当該ＩＰアドレスを割り当てられた宛先との間で３Ｗａｙ  Ｈａｎｄｓｈａｋｅを行う。
【００４９】
キャッシュメモリ２４は、名前解決部２２から受信したＩＰアドレスとドメイン名とを対応付けた情報を保持する。キャッシュメモリ２４は、所定の期間が経過すると、保持している情報を削除される。
【００５０】
図４は、第１の実施形態におけるキャッシュメモリ２４が保持する情報の例である。キャッシュメモリ２４が保持する情報は、例えば、ＩＰアドレス、該ＩＰアドレスが割り当てられた宛先のサーバ名、ドメイン名、移動機端末１０から問い合わせを受けた時刻、保持期間などである。なお、キャッシュメモリ２４の保持する情報は、上記の項目に限られない。また、キャッシュメモリ２４は、１つのドメイン名に対して複数のＩＰアドレスを保持してもよい。名前解決部２２は、移動機端末１０からの問い合わせに応じて、いずれかのＩＰアドレスを選択して送信してもよい。
【００５１】
ＤＮＳサーバ３０は、ドメイン名とＩＰアドレスとを対応付けた情報を保持する。ＤＮＳサーバ３０は、中継装置２０から問い合わせとしてドメイン名を受信すると、ＤＮＳサーバ３０の保持する情報を参照し、問い合わせに対応するＩＰアドレスを特定する。ＤＮＳサーバ３０は、特定したＩＰアドレスを、中継装置２０へ送信する。
【００５２】
図５は、第１の実施形態におけるＤＮＳサーバ３０の保持する情報の例である。ＤＮＳサーバ３０は、例えば、ドメイン名と割り当てられたＩＰアドレスとを対応付けた情報を保持している。なお、ＤＮＳサーバ３０の保持する情報は上記の項目に限られず、例えば、ホスト名とＩＰアドレスとを対応付けた情報を保持していてもよい。また、ＤＮＳサーバ３０は、１つのドメイン名に対して複数のＩＰアドレスを保持してもよく、中継装置２０からの問い合わせに応じて、いずれかのＩＰアドレスを選択して送信してもよい。
【００５３】
オリジンサーバ４０は、移動機端末１０に提供するコンテンツを収容したサーバである。コンテンツとは、テキスト、図形、音声、画像、動画、またはそれらを組合せたデータである。オリジンサーバ４０は、モバイルＩＰ網５０と、外部ネットワーク６０とを介して、移動機端末１０からのＨＴＴＰリクエストを受信すると、移動機端末１０に対して、該リクエストに対する応答としてＨＴＴＰレスポンスを送信する。オリジンサーバ４０は、例えば、移動機端末１０からコンテンツを要求するＨＴＴＰリクエストを受信すると、移動機端末に対して、コンテンツの使用を許可するＨＴＴＰレスポンスを送信する。
【００５４】
本発明の第１実施形態のネットワークシステムの動作について、図６を参照して説明する。以降の説明は、移動機端末１０が、オリジンサーバ４０−１にコンテンツを要求する場合に行われる動作を例に行われるが、発明のネットワークシステムは、以下の場合に限定されない。
【００５５】
移動機端末１０は、接続を要求する先のドメイン名が「ａａａ．ｊｐ」であることを特定する。移動機端末１０は、特定したドメイン名に対応するＩＰアドレスを取得するために、問い合わせとして、中継装置２０にドメイン名「ａａａ．ｊｐ」を送信する（Ｓ１０１、ＤＮＳ問い合わせ）。
【００５６】
中継装置２０は、問い合わせとして移動機端末１０からドメイン名を受信すると、キャッシュメモリ２４が保持している情報を参照する（Ｓ１０２）。
【００５７】
キャッシュメモリ２４が、問い合わせに対応するＩＰアドレスを保持していない場合、中継装置２０は、ＤＮＳサーバ３０に対して、問い合わせとして移動機端末１０から受信したドメイン名を送信する（Ｓ１０３）。
【００５８】
ＤＮＳサーバ３０は、問い合わせとして中継装置２０からドメイン名を受信すると、ＤＮＳサーバ３０が保持する情報を参照し、ＩＰアドレスを特定する（Ｓ１０４）。
【００５９】
ＤＮＳサーバ３０は、特定したＩＰアドレス「１９２．１２３．０．１」を、中継装置２０に送信する（Ｓ１０５）。
【００６０】
中継装置２０は、ＤＮＳサーバ３０から受信したＩＰアドレス「１９２．１２３．０．１」と、ドメイン名「ａａａ．ｊｐ」とをキャッシュメモリ２４に登録する（Ｓ１０６、キャッシュ登録）。
【００６１】
中継装置２０は、特定したＩＰアドレス「１９２．１２３．０．１」を、移動機端末１０に送信する（Ｓ１０７）。
【００６２】
中継装置２０は、特定したＩＰアドレスを移動機端末１０に送信する処理（Ｓ１０７）と並行して、移動機端末１０が接続を要求する通信先であるオリジンサーバ４０−１と３ＷａｙＨａｎｄｓｈａｋｅを行う。
【００６３】
中継装置２０は、オリジンサーバ４０−１に対して、コネクションの確立を要求する旨を示すＳＹＮパケットを送信する（Ｓ１０８−２）。
【００６４】
オリジンサーバ４０−１は、中継装置２０に対して、コネクションの確立を許可する旨を示すＡＣＫパケットを送信する。また、オリジンサーバ４０−１は、中継装置２０に対して、コネクションの確立を要求する旨を示すＳＹＮパケットを送信する（Ｓ１０９−２）。
【００６５】
中継装置２０は、オリジンサーバ４０−１に対して、コネクションの確立を許可する旨を示すＡＣＫパケットを送信する（Ｓ１１０−２）。
【００６６】
移動機端末１０は、中継装置２０から問い合わせに対応するＩＰアドレスを受信すると、中継装置２０と３ＷａｙＨａｎｄｓｈａｋｅを行う。
【００６７】
移動機端末１０は、中継装置２０に対して、コネクションの確立を要求する旨を示すＳＹＮパケットを送信する（Ｓ１０８−１）。
【００６８】
中継装置２０は、移動機端末１０に対して、コネクションの確立を許可する旨を示すＡＣＫパケットを送信する。また、中継装置２０は、移動機端末１０に対して、コネクションの確立を要求する旨を示すＳＹＮパケットを送信する（Ｓ１０９−１）。
【００６９】
移動機端末１０は、中継装置２０に対して、コネクションの確立を許可する旨を示すＡＣＫパケットを送信する（Ｓ１１０−１）。
【００７０】
移動機端末１０は、中継装置２０を介して、オリジンサーバ４０−１に対して、オリジンサーバ４０のコンテンツを使用したい旨を示すＨＴＴＰリクエストを送信する（Ｓ１１１）。
【００７１】
オリジンサーバ４０−１は、移動機端末１０に対して、コンテンツ使用を許可する旨を示すＨＴＴＰレスポンスを送信する（Ｓ１１２）。
【００７２】
なお、キャッシュメモリ２４が、移動機端末１０が接続を要求する通信先のＩＰアドレスを保持していた場合、中継装置２０は、キャッシュメモリ２４の情報を基に、移動機端末１０へ該ＩＰアドレスを送信する。つまり、キャッシュメモリ２４が、オリジンサーバ４０−１のＩＰアドレスを保持していた場合、中継装置２０は、Ｓ１０２の動作の次に、Ｓ１０６の動作を行う。
【００７３】
また、Ｓ１０９−１において、中継装置２０が移動機端末１０に対して送信したＳＹＮパケットおよびＡＣＫパケットは、それぞれ別のパケットとして送信してもよいし、ＳＹＮ／ＡＣＫパケットという１つのパケットとして送信してもよい。Ｓ１０９−２において、オリジンサーバ４０−１が中継装置２０に対して送信したＳＹＮパケットおよびＡＣＫパケットは、それぞれ別のパケットとして送信してもよいし、ＳＹＮ／ＡＣＫパケットという１つのパケットとして送信してもよい。
【００７４】
中継装置２０が、移動機端末１０が接続を要求する通信先と３ＷａｙＨａｎｄｓｈａｋｅを始める（Ｓ１０８−２）タイミングは、中継装置２０が移動機端末１０に対してＩＰアドレスを送信する（Ｓ１０７）タイミングに限定されない。例えば、中継装置２０は、ＤＮＳサーバ３０から受信したＩＰアドレスと、ドメイン名とをキャッシュメモリ２４に送信する（Ｓ１０６）タイミングで、移動機端末１０が接続を要求する通信先と３ＷａｙＨａｎｄｓｈａｋｅを始めてもよい。例えば、中継装置２０は、ＤＮＳサーバ３０から受信したＩＰアドレスと、ドメイン名とをキャッシュメモリ２４に送信した（Ｓ１０６）後に、移動機端末１０が接続を要求する通信先と３ＷａｙＨａｎｄｓｈａｋｅを開始（Ｓ１０８−２）してから、移動機端末１０に対してＩＰアドレスを送信（Ｓ１０７）してもよい。例えば、中継装置２０がオリジンサーバ４０−１のＩＰアドレスを送信する（Ｓ１０７）タイミングで、同時に移動機端末１０が接続を要求する通信先と３ＷａｙＨａｎｄｓｈａｋｅを始めて（Ｓ１０８−２）もよい。
【００７５】
上記のとおり、本発明の第１の実施形態のネットワークシステムでは、移動機端末１０の要求に応じて、中継装置２０がＤＮＳサーバ３０へＩＰアドレスを問い合わせる。このようにすることで、中継装置２０は、移動機端末１０から３Ｗａｙ  Ｈａｎｄｓｈａｋｅの完了を待たずに、接続を要求する通信先との３Ｗａｙ  Ｈａｎｄｓｈａｋｅを開始することができ、通信開始までの時間を短縮することが可能になる。
［第２の実施の形態］
本願発明の第２の実施形態を、図面を参照して詳細に説明する。なお、本実施形態の基本的な構成は、第１の実施形態と同様であるので、以下、その相違点を中心に説明する。
［構成の説明］
図７は、第２の実施形態における中継装置２０の構成例を示すブロック図である。第１の実施形態における中継装置２０との相違点として、中継装置２０は、ＤＮＳ機能部２５を含む。
【００７６】
ＤＮＳ機能部２５は、第１の実施形態におけるＤＮＳサーバ３０に相当する。これにより、中継装置２０は、ＤＮＳサーバ３０に問い合わせをすることなく、移動機端末１０が接続を要求する通信先のＩＰアドレスを知ることができる。
【００７７】
本発明の第２の実施形態のネットワークシステムの動作について、図８を参照して説明する。以降の説明は、移動機端末１０が、オリジンサーバ４０−１にコンテンツを要求する場合に行われる動作を例に行われるが、発明のネットワークシステムは、以下の場合に限定されない。
【００７８】
移動機端末１０は、接続を要求する先のドメイン名が「ａａａ．ｊｐ」であることを特定する。移動機端末１０は、特定したドメイン名に対応するＩＰアドレスを取得するために、問い合わせとして、中継装置２０にドメイン名「ａａａ．ｊｐ」を送信する（Ｓ２０１、ＤＮＳ問い合わせ）。
【００７９】
中継装置２０のプロキシ機能部２３は、問い合わせとして移動機端末１０からドメイン名を受信する。プロキシ機能部２３は、ＤＮＳ機能部２５に対して、問い合わせとして移動機端末１０から受信したドメイン名を送信する（Ｓ２０２）。
【００８０】
ＤＮＳ機能部２５は、問い合わせとしてプロキシ機能部２３からドメイン名を受信すると、ＤＮＳ機能部２５が保持する情報を照会し、ＩＰアドレスを特定する（Ｓ２０３）。
【００８１】
ＤＮＳ機能部２５は、特定したＩＰアドレス「１９２．１２３．０．１」を、プロキシ機能部２３に送信する（Ｓ２０４）。
【００８２】
プロキシ機能部２３は、特定したＩＰアドレス「１９２．１２３．０．１」を、移動機端末１０に送信する（Ｓ２０５）。
【００８３】
Ｓ２０６からＳ２１０は、第１の実施形態におけるＳ１０８からＳ１１２と同様である。
【００８４】
上記のとおり、本発明の第２の実施形態のネットワークシステムでは、ＤＮＳサーバ３０に相当するＤＮＳ機能部２５を有する中継装置２０が、移動機端末１０が接続を要求する通信先のＩＰアドレスを特定する。このようにすることで、移動機端末１０がＩＰアドレスを取得するまでの時間を短縮することが可能になる。
［第３の実施の形態］
本願発明の第３の実施形態を、図面を参照して詳細に説明する。なお、第３の実施形態の技術は、第１の実施形態、第２の実施形態のいずれにも適用可能である。本実施形態の基本的な構成は、第１の実施形態と同様であるので、以下、その相違点を中心に説明する。
［構成の説明］
図９は本発明の第３の実施形態におけるネットワークシステムの構成の概略を示す図である。なお、図１と同一の符号を付す箇所は、図１の説明と同様の処理動作を行うものとし、詳細な説明は割愛する。
【００８５】
移動機端末１０は、端末通信部１１と、端末処理部１２とを含む。
【００８６】
端末通信部１１は、端末処理部１２からの指示に応じて、モバイルＩＰ網５０を介して、中継装置２０およびＤＮＳサーバ３０ｂとのパケットの送受信を行うための通信インターフェースである。
【００８７】
端末処理部１２は、移動機端末１０が接続を要求する通信先のドメイン名を特定する。端末処理部１２は、特定したドメイン名に対応するＩＰアドレスを取得するために、問い合わせとして、端末通信部１１に、ＤＮＳサーバ３０ｂへのドメイン名の送信を指示する。
【００８８】
ＤＮＳサーバ３０ｂは、ドメイン名とＩＰアドレスとを対応付けた情報を保持する。ＤＮＳサーバ３０ｂは、移動機端末１０から問い合わせとしてドメイン名を受信すると、ＤＮＳサーバ３０ｂの保持する情報を参照し、問い合わせに対応するＩＰアドレスを特定して、中継装置２０および移動機端末１０へ送信する。
【００８９】
本発明の第３実施形態のネットワークシステムの動作について、図１０を参照して説明する。
【００９０】
移動機端末１０は、接続を要求する先のドメイン名が「ａａａ．ｊｐ」であることを特定する。移動機端末１０は、特定したドメイン名に対応するＩＰアドレスを取得するために、問い合わせとして、ＤＮＳサーバ３０ｂにドメイン名「ａａａ．ｊｐ」を送信する（Ｓ３０１、ＤＮＳ問い合わせ）。
【００９１】
ＤＮＳサーバ３０ｂは、問い合わせとして移動機端末１０からドメイン名を受信すると、ＤＮＳサーバ３０ｂが保持している情報を参照し、ＩＰアドレスを特定する（Ｓ３０２）。
【００９２】
ＤＮＳサーバ３０ｂは、特定したＩＰアドレス「１９２．１２３．０．１」を、移動機端末１０および中継装置２０に送信する（Ｓ３０３）。
【００９３】
Ｓ３０４からＳ３０８は、第１の実施形態におけるＳ１０８からＳ１１２と同様である。
【００９４】
上記のとおり、本発明の第３の実施形態のネットワークシステムでは、移動機端末１０が接続先を要求する通信先のＩＰアドレスをＤＮＳサーバ３０ｂに問い合わせ、ＤＮＳサーバ３０ｂはその結果を移動機端末１０と中継装置２０とに送信する。このようにすることで、中継装置２０は、移動機端末１０との３Ｗａｙ  Ｈａｎｄｓｈａｋｅの完了を待たずに、接続を要求する通信先との３Ｗａｙ  Ｈａｎｄｓｈａｋｅを開始することができ、通信開始までの時間を短縮することが可能になる。
【００９５】
以上、本発明の実施形態を説明したが、本発明は、上記したそれぞれの実施形態に限定されるものではない。本発明は、各実施形態の変形・置換・調整に基づいて実施できる。また、本発明は、各実施形態を任意に組み合わせて実施することもできる。即ち、本発明は、本明細書の全ての開示内容、技術的思想に従って実現できる各種変形、修正を含む。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【００９６】
また、本発明において、移動機端末、中継装置、ＤＮＳ、オリジンサーバのコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等が、上述した各実施形態の機能を実現するソフトウェア（プログラム）を実行してもよい。移動機端末、中継装置、ＤＮＳ、オリジンサーバは、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得してもよい。移動機端末、中継装置、ＤＮＳ、オリジンサーバが取得するプログラムや該プログラムを記憶した記憶媒体は、本発明を構成することになる。なお、該ソフトウェア（プログラム）は、例えば、移動機端末、中継装置、ＤＮＳ、オリジンサーバに含まれる所定の記憶部に、予め記憶されていてもよい。移動機端末、中継装置、ＤＮＳ、オリジンサーバのコンピュータ、ＣＰＵ又はＭＰＵ等は、取得したソフトウェア（プログラム）のプログラムコードを読み出して実行してもよい。
【００９７】
上記の実施形態の一部又は全部は、以下の付記のようにも記載されうるが、以下には限られない。
【００９８】
［付記１］
通信端末に対してコンテンツを提供するサーバと、
前記サーバとの接続を確立する中継装置と、
前記サーバのＩＰアドレスを保持するＤＮＳサーバとを含み、
前記中継装置は、前記通信端末からコンテンツの提供元となるサーバのＩＰアドレスの問い合わせを受け付けると、前記ＤＮＳサーバに対して該ＩＰアドレスを問い合わせ、
前記問い合わせに対して受信したＩＰアドレスを前記通信端末に送信する処理と、該ＩＰアドレスの割り当てられたサーバとの接続を確立する処理とを、並行する
ことを特徴とするネットワークシステム。
【００９９】
［付記２］
前記中継装置は、前記ＤＮＳサーバから受信したＩＰアドレスを保持するキャッシュメモリを含み、
前記キャッシュメモリが前記通信端末からの問い合わせに対応するＩＰアドレスを保持している場合には、該ＩＰアドレスを前記通信端末に送信し、
前記キャッシュメモリが前記通信端末からの問い合わせに対応するＩＰアドレスを保持していない場合には、該ＩＰアドレスを前記ＤＮＳサーバに問い合わせる
ことを特徴とする付記１に記載のネットワークシステム。
【０１００】
［付記３］
前記中継装置は、前記サーバのＩＰアドレスを保持するＤＮＳ機能部を含み、
前記ＩＰアドレスの問い合わせを受け付けると、前記ＤＮＳ機能部に照会して、前記コンテンツの提供元となるサーバのＩＰアドレスを前記通信端末に送信することを特徴とする付記１に記載のネットワークシステム。
【０１０１】
［付記４］
前記中継装置は、前記サーバとの間にＴＣＰコネクションを確立するために、３Ｗａｙ  Ｈａｎｄｓｈａｋｅを行うことを特徴とする付記１乃至３のいずれか１項に記載のネットワークシステム。
【０１０２】
［付記５］
通信端末からコンテンツの提供元となるサーバのＩＰアドレスの問い合わせを受け付けると、ＤＮＳサーバに対して前記コンテンツの提供元となるサーバのＩＰアドレスを問い合わせ、
前記問い合わせに対して受信したＩＰアドレスを前記通信端末に送信する処理と、該ＩＰアドレスに基づいて前記コンテンツの提供元となるサーバとの接続を確立する処理とを、並行する
ことを特徴とする中継装置。
【０１０３】
［付記６］
前記ＤＮＳサーバから受信したＩＰアドレスを保持するキャッシュメモリを含み、
前記キャッシュメモリが前記通信端末からの問い合わせに対応するＩＰアドレスを保持している場合には、該ＩＰアドレスを前記通信端末に送信し、
前記キャッシュメモリが前記通信端末からの問い合わせに対応するＩＰアドレスを保持していない場合には、該ＩＰアドレスを前記ＤＮＳサーバに問い合わせる
ことを特徴とする付記５に記載の中継装置。
【０１０４】
［付記７］
前記サーバのＩＰアドレスを保持するＤＮＳ機能部を含み、
前記通信端末からの問い合わせを受け付けると、前記ＩＰアドレスを前記通信端末に送信することを特徴とする付記５に記載の中継装置。
【０１０５】
［付記８］
通信端末に対してコンテンツを提供するサーバと、
前記サーバとの接続を確立する中継装置と、
前記サーバのＩＰアドレスを保持するＤＮＳサーバとを含み、
前記ＤＮＳサーバは、前記通信端末からコンテンツの提供元となるサーバのＩＰアドレスの問い合わせを受け付けると、前記中継装置に該ＩＰアドレスを送信し、
前記中継装置は、該アドレスを前記通信装置に送信する処理と、該ＩＰアドレスの割り当てられたサーバとの接続を確立する処理とを並行する
ことを特徴とするネットワークシステム。
【０１０６】
［付記９］
前記ＤＮＳサーバは、前記問い合わせを受け付けると、前記問い合わせに対応するＩＰアドレスを前記中継装置と前記通信端末のそれぞれに送信することを特徴とする付記８に記載のネットワークシステム。
【０１０７】
［付記１０］
通信端末に対してコンテンツを提供するサーバと、
前記サーバとの接続を確立する中継装置と、
前記サーバのＩＰアドレスを保持するＤＮＳサーバとを含むネットワークシステムにおいて、
前記中継装置は、
前記通信端末からコンテンツの提供元となるサーバのＩＰアドレスの問い合わせを受け付けると、前記ＤＮＳサーバに対して該ＩＰアドレスを問い合わせ、
前記問い合わせに対して受信したＩＰアドレスを前記通信端末に送信する処理と、該ＩＰアドレスに基づいて前記コンテンツの提供元となるサーバとの接続を確立する処理とを、並行する
ネットワーク制御方法。
【０１０８】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１０９】
この出願は、２０１７年  ３月３１日に出願された日本出願特願２０１７−０７０４００を基礎とする優先権を主張し、その開示の全てをここに取り込む。
【符号の説明】
【０１１０】
１０、１０ａ  移動機端末
１１  端末通信部
１２  端末処理部
２０、２０ａ  中継装置
２１  通信部
２２  名前解決部
２３  プロキシ機能部
２４  キャッシュメモリ
２５  ＤＮＳ機能部
３０、３０ａ、３０ｂ  ＤＮＳ
４０、４０−１  オリジンサーバ
５０  モバイルＩＰ網
６０  外部ネットワーク
【図１】
2018180767.tif 000003
【図２】
2018180767.tif 000004
【図３】
2018180767.tif 000005
【図４】
2018180767.tif 000006
【図５】
2018180767.tif 000007
【図６】
2018180767.tif 000008
【図７】
2018180767.tif 000009
【図８】
2018180767.tif 000010
【図９】
2018180767.tif 000011
【図１０】
2018180767.tif 000012
【図１１】
2018180767.tif 000013
【図１２】
2018180767.tif 000014
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
通信端末に対してコンテンツを提供するサーバと、
前記サーバとの接続を確立する中継装置と、
前記サーバのＩＰアドレスを保持するＤＮＳサーバとを含み、
前記中継装置は、前記通信端末からコンテンツの提供元となるサーバのＩＰアドレスの問い合わせを受け付けると、前記ＤＮＳサーバに対して該ＩＰアドレスを問い合わせ、
前記問い合わせに対して受信したＩＰアドレスを前記通信端末に送信する処理と、該ＩＰアドレスの割り当てられたサーバとの接続を確立する処理とを、並行する
ことを特徴とするネットワークシステム。
【請求項２】
前記中継装置は、前記ＤＮＳサーバから受信したＩＰアドレスを保持するキャッシュメモリを含み、
前記キャッシュメモリが前記通信端末からの問い合わせに対応するＩＰアドレスを保持している場合には、該ＩＰアドレスを前記通信端末に送信し、
前記キャッシュメモリが前記通信端末からの問い合わせに対応するＩＰアドレスを保持していない場合には、該ＩＰアドレスを前記ＤＮＳサーバに問い合わせる
ことを特徴とする請求項１に記載のネットワークシステム。
【請求項３】
前記中継装置は、前記サーバのＩＰアドレスを保持するＤＮＳ機能部を含み、
前記ＩＰアドレスの問い合わせを受け付けると、前記ＤＮＳ機能部に照会して、前記コンテンツの提供元となるサーバのＩＰアドレスを前記通信端末に送信することを特徴とする請求項１に記載のネットワークシステム。
【請求項４】
前記中継装置は、前記サーバとの間にＴＣＰコネクションを確立するために、３Ｗａｙ  Ｈａｎｄｓｈａｋｅを行うことを特徴とする請求項１乃至３のいずれか１項に記載のネットワークシステム。
【請求項５】
通信端末からコンテンツの提供元となるサーバのＩＰアドレスの問い合わせを受け付けると、ＤＮＳサーバに対して前記コンテンツの提供元となるサーバのＩＰアドレスを問い合わせ、
前記問い合わせに対して受信したＩＰアドレスを前記通信端末に送信する処理と、該ＩＰアドレスに基づいて前記コンテンツの提供元となるサーバとの接続を確立する処理とを、並行する
ことを特徴とする中継装置。
【請求項６】
前記ＤＮＳサーバから受信したＩＰアドレスを保持するキャッシュメモリを含み、
前記キャッシュメモリが前記通信端末からの問い合わせに対応するＩＰアドレスを保持している場合には、該ＩＰアドレスを前記通信端末に送信し、
前記キャッシュメモリが前記通信端末からの問い合わせに対応するＩＰアドレスを保持していない場合には、該ＩＰアドレスを前記ＤＮＳサーバに問い合わせる
ことを特徴とする請求項５に記載の中継装置。
【請求項７】
前記サーバのＩＰアドレスを保持するＤＮＳ機能部を含み、
前記通信端末からの問い合わせを受け付けると、前記ＩＰアドレスを前記通信端末に送信することを特徴とする請求項５に記載の中継装置。
【請求項８】
通信端末に対してコンテンツを提供するサーバと、
前記サーバとの接続を確立する中継装置と、
前記サーバのＩＰアドレスを保持するＤＮＳサーバとを含み、
前記ＤＮＳサーバは、前記通信端末からコンテンツの提供元となるサーバのＩＰアドレスの問い合わせを受け付けると、前記中継装置に該ＩＰアドレスを送信し、
前記中継装置は、該ＩＰアドレスを前記通信端末に送信する処理と、該ＩＰアドレスの割り当てられたサーバとの接続を確立する処理とを並行する
ことを特徴とするネットワークシステム。
【請求項９】
前記ＤＮＳサーバは、前記問い合わせを受け付けると、前記問い合わせに対応するＩＰアドレスを前記中継装置と前記通信端末のそれぞれに送信することを特徴とする請求項８に記載のネットワークシステム。
【請求項１０】
通信端末に対してコンテンツを提供するサーバと、
前記サーバとの接続を確立する中継装置と、
前記サーバのＩＰアドレスを保持するＤＮＳサーバとを含むネットワークシステムにおいて、
前記中継装置は、
前記通信端末からコンテンツの提供元となるサーバのＩＰアドレスの問い合わせを受け付けると、前記ＤＮＳサーバに対して該ＩＰアドレスを問い合わせ、
前記問い合わせに対して受信したＩＰアドレスを前記通信端末に送信する処理と、該ＩＰアドレスに基づいて前記コンテンツの提供元となるサーバとの接続を確立する処理とを、並行する
ネットワーク制御方法。
【国際調査報告】
2018180767.tif 000015
2018180767.tif 000016